(57)【要約】【課題】表示する数字の変更作業が容易であるとともに、容易かつ安価に製作する。【解決手段】表面と裏面とが異なる色彩に設定されているとともに表裏両面が着磁された７個のピース１ａ〜１ｇと、裏面が着磁されたガイド板３と、各ピース１ａ〜１ｇおよびガイド板３の着磁面が磁気吸着される表示面２０を有する表示基板２とから成る。表示基板２の表示面２０は、各ピース１ａ〜１ｇの裏面と同じ色相の色彩に設定されている。ガイド板３は、鉤状の４枚の板材３０により構成されている。各板材３０は、各ピース１ａ〜１ｇより大きな厚みを有し、各ピース１ａ〜１ｇにより形づくられる「８」の字４の輪郭の四隅部分において、「８」の字４の輪郭を構成するピース１ａ〜１ｆの外縁に接する直角な位置決め辺３６を備えている。【選択図】図１
0003138679.tif 000002
【実用新案登録請求の範囲】
【請求項１】
上下３段に等配置される３個のピースと、各ピース間の両側位置にそれぞれ配置される４個のピースとで１つの数字の８の字が構成され、各ピースの表面と裏面とを異なる色彩に設定して、７個のピースのうちの所定のピースを表に向けて０〜９の数字を表すことにより、少なくとも１桁の数字を表示するようにした数字表示具において、
表裏両面が着磁された数字毎の上記７個の板状のピースと、少なくとも裏面が着磁されたガイド板と、各ピースおよびガイド板の着磁面が磁気吸着される平坦な表示面を有する表示基板とから成り、前記表示基板の表示面は、各ピースの裏面と同じ色相の色彩に設定されるとともに、ガイド板によって各桁毎の表示領域に区画されており、前記ガイド板は、８の字の輪郭を構成している所定のピースの外縁に接する位置決め辺を備えている数字表示具。
【請求項２】
前記の各ピースは、全てが同じ形状であって、所定の幅を有する中間部と先細り形状の両端部とが一体形成されている請求項１に記載された数字表示具。
【請求項３】
前記ガイド板は、垂直片と水平片とを有する平面形状が鉤状の４枚の板材により構成され、前記８の字の輪郭の四隅部分においてピースの外縁に接する直角な位置決め辺をそれぞれ備えている請求項１に記載された数字表示具。
【請求項４】
前記ガイド板は、矩形状の孔を有する１枚の板材により構成され、前記板材は前記８の字の輪郭の全周においてピースの外縁に接する一周する位置決め辺を備えている請求項１に記載された数字表示具。
【請求項５】
前記ガイド板は、各ピースより大きな厚みを有している請求項１，３，４のいずれかに記載された数字表示具。
【考案の詳細な説明】
【技術分野】
【０００１】
この考案は、７個のピースを所定の位置に配置するとともに、表面と裏面とが異なる色彩に設定された７個のピースのうちの所定のピースを表に向けて０〜９の数字を表示することにより、少なくとも１桁の数字を表示するようにした数字表示具に関する。
【背景技術】
【０００２】
例えば、学校や運動場などでバスケットボールやテニスなどのスポーツ競技を行う場合には、従来よりスコアを表示するために、表面に「０」から「９」までの数字が個別に表された複数枚の数字プレートと、これらの数字プレートを整列状態で吊持することにより特定の数字を表示するための掲示具とを用意し、競技の進行に応じてそのスコアを表示するのに必要な数字が表された数字プレートを適宜選出して掲示具に順次吊持している。例えば、バスケットボール競技において、スコアが４５対３０であれば、数字「４」，「５」，「３」，「０」がそれぞれ表された４枚の数字プレートが選出されて掲示具にそれぞれ吊持される。
【０００３】
また、ガソリンスタンドなどでは、ガソリンの価格を運転中のドライバーが容易に認識できるように、１リットル当たりのガソリンの価格を店頭表示することが行われているが、このような場合にも、同様の数字プレートと掲示具とを用いて当日のガソリンの価格を表示するようにしている。
【０００４】
しかし、上記した数字プレートを用いて特定の数字を表示する方法では、１桁毎に「０」〜「９」の数字プレートをそれぞれ用意しておく必要があるので、数字プレートの枚数が嵩む。そのため、多数枚の数字プレートを管理する必要があり、管理が煩雑となるとともに、数字プレートの紛失を招き易いという問題がある。また、表示する数字を変更する場合には、掲示具より各数字プレートを取り外した後、他の数字プレートを掲示具に順次吊持する必要があるため、作業が煩雑となる。そこで、上記したスコアや価格などの数字を表示することができるとともに、表示された数字を容易に変更することができる数字表示具として、種々のものが提案されている（例えば、特許文献１参照）。
【０００５】
【特許文献１】特開平８−５４８３１号公報
【０００６】
この特許文献１に記載された数字表示具は、図７に示すように、「０」〜「９」までの数字を表示可能な７つのセグメント１００ａ〜１００ｇと、各セグメント１００ａ〜１００ｇの配置部分にそれぞれセグメントの外形に対応した開口部１０２ａ〜１０２ｇが形成された表示基板１０１とを備えている。各セグメント１００ａ〜１００ｇは、それぞれの外形が線対称形の板状体であって、表裏面がそれぞれ異なる色（例えば、表面が「白色」、裏面が表示基板１０１の表面と同じ「黒色」）に着色されている。また、各セグメント１００ａ〜１００ｇは、長さ方向の中央部に２本の回転軸１０３がそれぞれ外向きに設けられている。各回転軸１０３の両端部は、表示基板１０１に設けられた軸受（図示せず。）により支持されており、これにより各セグメント１００ａ〜１００ｇは回転軸１０３を中心として回転可能となっている。
【０００７】
所定の数字、例えば数字の「４」を表示するには、各セグメント１００ａ〜１００ｇのうち、数字の「４」を構成する各セグメント１００ａ，１００ｃ，１００ｄ，１００ｇについては白色に着色された表面を表に向けるとともに、その他の各セグメント１００ｂ，１００ｅ，１００ｆについては各セグメントを手操作で反転させて、黒色に着色された裏面を表に向けることにより、所定の数字が表示される。
【考案の開示】
【考案が解決しようとする課題】
【０００８】
しかしながら、上記した構成の数字表示具では、いずれかのセグメントを押して反転させるだけで所望の数字を適宜表示させることができるが、表示基板１０１に開口部１０２ａ〜１０２ｇを形成するための孔あけ加工を施したり、各セグメント１００ａ〜１００ｇを回動可能とするための構造を設ける必要があるため、製作に手間がかかるうえ、製作コストが高くついて高価になるという問題がある。また、各セグメント１００ａ〜１００ｇの大きさを変更して、数字の大きさが異なる複数種の数字表示具を製作する場合には、その種類毎に各セグメント１００ａ〜１００ｇの大きさに対応した開口部１０２ａ〜１０２ｇを備える表示基板１０１を作成する必要があるので、面倒である。
【０００９】
この考案は上記した問題に着目してなされたもので、表示する数字の変更作業が容易であるとともに、容易かつ安価に製作することができる数字表示具を提供することを目的とする。
【課題を解決するための手段】
【００１０】
この考案による数字表示具は、上下３段に等配置される３個のピースと、各ピース間の両側位置にそれぞれ配置される４個のピースとで１つの数字の８の字が構成され、各ピースの表面と裏面とを異なる色彩に設定して、７個のピースのうちの所定のピースを表に向けて０〜９の数字を表すことにより、少なくとも１桁の数字を表示するようにしたものであり、表裏両面が着磁された数字毎の上記７個の板状のピースと、少なくとも裏面が着磁されたガイド板と、各ピースおよびガイド板の着磁面が磁気吸着される平坦な表示面を有する表示基板とから成る。前記表示基板の表示面は、各ピースの裏面と同じ色相の色彩に設定されるとともに、ガイド板によって各桁毎の表示領域に区画されており、前記ガイド板は、８の字の輪郭を構成している所定のピースの外縁に接する位置決め辺を備えている。
【００１１】
上記した構成の数字表示具では、表示基板の表示面上に、各桁の数字毎に７個のピースを所定の位置に配置することによって数字の８の字が形づくられている。各ピースは、裏面が表示基板の表示面に設定された色彩と同じ色彩に、表面が表示基板の表示面に設定された色彩とは異なる色彩に、それぞれ設定されているので、表示したい数字に応じて所定のピースを選んで表へ向けるとともに、その他のピースを裏へ向けることにより、所望の数字が表示される。
【００１２】
各ピースは表裏両面が着磁され、磁気吸着により各ピースは表面と裏面のいずれを表へ向けても表示基板の表示面に保持されるので、従来例のように、表示基板に開口部を形成したり、各ピースを回動可能としたりするなどの面倒な加工を施す必要がなく、容易かつ安価に数字表示具を製作することができる。また、各ピースの大きさを変更して、表示される数字の大きさが異なる複数種の数字表示具を製作する場合には、その種類毎に表示基板の大きさを変更するだけでよいので、表示基板の製作に手数がかからない。
【００１３】
さらに、表示基板の表示面には、各桁の数字毎に位置決め辺を備えるガイド板が配置され、位置決め辺に前記８の字の輪郭を構成する所定のピースの外縁をそれぞれ当接させるので、各ピースの位置決めが容易であり、前記８の字の輪郭は位置決め辺によって整然とした状態に保たれる。これにより、各ピースは所定の決められた位置に安定した状態で保持されるので、各ピースが位置ずれするのを防止できる。
【００１４】
なお、前記表示基板の表示面を、前記８の字を１つ形づくることが可能な大きさに形成すれば１桁の数字を、前記８の字を２つ横並びで形づくることが可能な大きさに形成すれば２桁の数字を、それぞれ表示することができる。さらに、表示基板の表示面を前記８の字を３つ以上横並びで形づくることが可能な大きさに形成すれば、３桁以上の数字を表示することも可能である。
【００１５】
この考案の好ましい実施態様においては、前記の各ピースは、全てが同じ形状であって、所定の幅を有する中間部と先細り形状の両端部とが一体形成されている。この実施態様によれば、全てのピースが同一形状であるので、全てのピースを同じ製作方法により製作すればよく、ピースの製作に手数がかからず、部品管理も容易である。
【００１６】
この考案の好ましい実施態様においては、前記ガイド板は、垂直片と水平片とを有する平面形状が鉤状の４枚の板材により構成され、前記８の字の輪郭の四隅部分においてピースの外縁に接する直角な位置決め辺をそれぞれ備えている。この実施態様によれば、各ピースの大きさを変更して、表示される数字の大きさが異なる複数種の数字表示具を用意する場合、各板材を兼用することができるので、数字表示具の種類毎にガイド板を用意する必要がない。
【００１７】
この考案の好ましい他の実施態様においては、前記ガイド板は、矩形状の孔を有する１枚の板材により構成され、前記板材は前記８の字の輪郭の全周においてピースの外縁に接する一周する位置決め辺を備えている。この実施態様によれば、板材の一周する位置決め辺によって前記８の字の輪郭が完璧に保たれて崩れることはないので、各ピースは所定の決められた位置に動かない状態で保持される。そのため、各ピースが位置ずれすることはなく、表示される数字の形崩れが全く起こらない。
【００１８】
この考案のさらに好ましい実施態様においては、前記ガイド板は、各ピースより大きな厚みを有している。この実施態様によれば、各ピースがガイド板を乗り越えることはなく、各ピースを所定の決められた位置に一層安定した状態で保持できる。
【考案の効果】
【００１９】
この考案によれば、各ピースの表裏両面を着磁して、磁気吸着により各ピースを表面と裏面のいずれを表へ向けても表示基板の表示面に安定して保持されるようにしたので、従来例のように、表示基板に開口部を形成したり、各ピースを回転可能としたりするなどの面倒な加工を施す必要がなく、容易かつ安価に数字表示具を製作することができる。さらに、表示基板の表示面上に配置されるガイド板の位置決め辺により、各ピースによって形づくられる数字の８の字の輪郭が保たれるので、各ピースの位置決めが容易であり、各ピースを所定の決められた位置に安定した状態で保持できる。
【考案を実施するための最良の形態】
【００２０】
この考案による数字表示具は、０〜９の数字を表示することが可能なもので、図１および図２に示すように、「０」から「９」までの数字を１桁単位で表示するための７個のピース１ａ〜１ｇと、各ピース１ａ〜１ｇが平面的に並べられる表示面２０を有する表示基板２と、表示基板２の表示面２０上に配置されるガイド板３とから構成されている。
【００２１】
前記７個のピース１ａ〜１ｇは、３個のピース１ｅ〜１ｇが上下３段に水平に等間隔で配置されるとともに、４個のピース１ａ〜１ｄが前記３個のピース１ｅ〜１ｇ間の両側位置に垂直に配置されることにより、表示基板２の表示面２０上に、数字の「８」の字４を形づくっている。各ピース１ａ〜１ｇは、全てが同一の形状を有する平板状のものであって、それぞれの外形が線対称形に形成されている。これにより、各ピース１ａ〜１ｇを反転させたとき、元の位置におさまるようになっている。この実施例では、各ピース１ａ〜１ｇは、所定の幅を有する中間部１０と先細り形状の両端部１１，１１とが一体形成されており、相互に隣接するピースと両端面が突き合わされて隙間のない状態で配置されている。
【００２２】
各ピース１ａ〜１ｇは、その表面と裏面とがそれぞれ異なる色彩（この実施例では、表面が「白色」、裏面が後述する表示基板２の表示面２０に設定される色彩と同じ「緑色」）に設定されている。７個のピース１ａ〜１ｇのうち、例えば図１および図２に示すように、ピース１ｃ〜１ｇについては表面を表に向け、他のピース１ａ，１ｂについては裏面を表へ向けることにより、数字の「３」を表示することができる。同様にして、ピース１ｃについては裏面を表へ向け、他のピース１ａ，１ｂ，１ｄ〜１ｇについては表面を表へ向けることにより、図示は省略するが、数字の「６」を表示することができる。
【００２３】
図３は、各ピース１ａ〜１ｇの構造を示している。各ピース１ａ〜１ｇは、厚みが１ｍｍ程度のものであり、薄板状の着磁板１２の表裏両面に、塩化ビニルなどの合成樹脂シートより成る表装シート１３Ａ，１３Ｂを接着剤によりそれぞれ貼り合わせて形成されている。一方の表装シート１３Ａの表面は白色に着色されており、他方の表装シート１３Ｂの表面は緑色に着色されている。
【００２４】
前記着磁板１２は、その両面に着磁面１４がそれぞれ形成されている。各着磁面１４は、例えばＮ，Ｓの極性が交互に反転する帯状の磁極列をもって構成されている。この着磁板１２は、原料であるフェライト磁石粉末などの永久磁石材料粉末と、ゴム，弾性プラスチックなどの弾性材料とを混練した後、圧延して薄板状となし、この薄板材の両面に着磁処理を施して前記着磁面１４を形成したものである。
【００２５】
前記表示基板２は、図１および図２に示すように、平板矩形状の例えば合成樹脂板から成る基台２１の表面に鉄板などの磁性板２２を接合して形成されている。磁性板２２の表面の平坦な表示面２０に、前記７個のピース１ａ〜１ｇの表裏両面の着磁面１４の一方および後述するガイド板３の裏面の着磁面が、それぞれ磁気吸着されて保持される。
【００２６】
表示基板２の表示面２０は、各ピース１ａ〜１ｇの裏面と同じ色相の色彩（この実施例では、「緑色」）に設定されている。なお、表示基板２の表示面２０の色彩と各ピース１ａ〜１ｇの裏面の色彩とは、色相が同じであれば、明度や彩度まで同じである必要はない。また、この実施例では、表示基板２の表示面２０は、各ピース１ａ〜１ｇを所定の決められた位置に配置して数字の「８」の字４を１つ形づくることが可能な大きさに形成されており、これにより、１桁の数字を表示することが可能となっている。
【００２７】
なお、図４に示すように、表示基板２の表示面２０を前記「８」の字４を２つ横並びで形づくることが可能な大きさに形成すれば、２桁の数字を表示することが可能であり、さらに、図示は省略するが、表示基板２の表示面２０を前記「８」の字４を３つ以上横並びで形づくることが可能な大きさに形成すれば、３桁以上の数字を表示することも可能である。
【００２８】
表示基板２の表示面２０上には、各桁の数字毎に、例えば図１および図２の実施例のように１桁の数字を表示するようにしたものでは、１つの数字に対応して、図４の実施例のように２桁の数字を表示するようにしたものでは、２つの各数字にそれぞれ対応して、ガイド板３が配置されている。ガイド板３は、水平片３１と垂直片３２とを有する平面形状が鉤状の４枚の板材３０により構成されている。各板材３０を、前記「８」の字４の輪郭の四隅部分に、それぞれ「８」の字４の輪郭に沿うように配置することにより、表示基板２の表示面２０がガイド板３によって各桁の数字毎の表示領域２０Ａに区画される。
【００２９】
各板材３０は、各ピース１ａ〜１ｇより大きな厚み（４ｍｍ程度）を有しており、裏面に表示基板２の表示面２０により磁気吸着される着磁面４２を備えている。この板材３０は、２枚の着磁板（図示せず）を接着剤により接合させてＬ字型とした後、裏面を除く全面にビニールテープなどの表地（図示せず）を貼り付けることにより形成されている。前記ビニールテープは、表示基板２の表示面２０に設定された色彩と同じ色相の色彩（明度や彩度まで同じである必要はない。）のものであることが望ましく、この実施例では緑地のものが使用されている。これにより、表示基板２の表示面２０に表示される数字を一層明確に見せることができる。
【００３０】
板材３０を構成する各着磁板は、原料であるフェライト磁石粉末などの永久磁石材料粉末とゴム，弾性プラスチックなどの弾性材料とを混練した後、圧延して板状となし、この板材の少なくとも片面に着磁処理を施して前記着磁面４２を形成したものである。
なお板材３０は、この実施例のような構造に限らず、Ｌ字型に形成された１枚の着磁板をもって構成してもよい。
【００３１】
各板材３０は、直角をなす内側縁に沿う端面が位置決め辺３６となっている。各板材３０の位置決め辺３６は、前記「８」の字４の輪郭の四隅部分において、「８」の字４の輪郭を構成する６個のピース１ａ〜１ｆの外縁にそれぞれ当接しており、この位置決め辺３６によって、前記「８」の字４の輪郭は、各板材３０の間で整然とした状態に保たれている。このように、前記「８」の字４の輪郭が保たれると、各ピース１ａ〜１ｇは、所定の決められた位置に安定した状態で保持されるので、各ピース１ａ〜１ｇが位置ずれするのを防止できる。
【００３２】
図５は、ガイド板３の他の実施例を示している。図示例のガイド板３は、平面形状が長方形状の４枚の板材３７により構成されている。各板材３７は、各ピース１ａ〜１ｇより大きな厚み（４ｍｍ程度）を有しており、裏面が表示基板２の表示面２０に磁気吸着されるよう着磁された板状の着磁板（図示せず）に、緑地のビニールテープ（図示せず）を裏面を除く全面に貼り付けることにより形成されている。各板材３７は、一方の側縁に沿う端面が位置決め辺３８を構成しており、位置決め辺３８が「８」の字４の輪郭を構成する６個のピース１ａ〜１ｆの外縁にそれぞれ当接するように配置されている。これにより、前記「８」の字４の輪郭が保持される。
【００３３】
図６は、ガイド板３のさらに他の実施例を示している。図示例のガイド板３は、矩形状の孔４０を有する１枚の板材３９により構成されている。この板材３９は、各ピース１ａ〜１ｇより大きな厚み（４ｍｍ程度）を有しており、裏面が表示基板２の表示面２０に磁気吸着されるよう着磁された着磁板（図示せず）に、緑地のビニールテープ（図示せず）を裏面を除く全面に貼り付けることにより形成されている。板材３９の孔４０は、前記「８」の字４の輪郭が適合する大きさに形成してあり、各ピース１ａ〜１ｇは「８」の字４を形づくった状態で孔４０内に嵌まっている。板材３９の孔４０の周縁は、一周する位置決め辺４１を構成しており、各ピース１ａ〜１ｇが孔４０内に嵌まり込んだ状態では、位置決め辺４１は「８」の字４の輪郭を構成する６個のピース１ａ〜１ｆの外縁に当接している。
【００３４】
図１〜図４に示した数字表示具により数字を表示するためには、まず、全てのピース１ａ〜１ｇを表示基板２の表示面２上の所定の位置に配置して、数字の「８」の字４を形づくる。特定の数字を表示しない場合には、全てのピース１ａ〜１ｇを裏面を表に向けて配置することにより、表示面２０は地色である緑色のみの無表示の状態となる。次に、ガイド板３を構成する４枚の板材３０を、各位置決め辺３６が前記「８」の字４の輪郭の四隅部分において、「８」の字４の輪郭を構成する６個のピース１ａ〜１ｆの外縁にそれぞれ当接するように、表示基板２の表示面２０上に配置する。そして、７個のピース１ａ〜１ｇのうち、表示したい数字に応じていずれかのピースを選んで表へ向けることにより、所望の数字が一桁表示される。さらに、数字の表示変更をする際には、いずれかのピースを決められた位置で反転させるだけで、容易に所望の数字に変更できる。
【００３５】
この数字表示具によると、各ピース１ａ〜１ｇは表裏両面が着磁され、磁気吸着により各ピース１ａ〜１ｇは表面と裏面のいずれを表へ向けても表示基板２の表示面２０に安定した状態で保持されるので、従来例のように、表示基板２に開口部を形成したり、各ピース１ａ〜１ｇを回転可能としたりするなどの面倒な加工を施す必要がなく、容易かつ安価に数字表示具を製作することができる。その上、全てのピース１ａ〜１ｇを同一形状で形成してあるので、全てのピース１ａ〜１ｇを同じ製作方法により製作すればよく、ピースの製作に手数がかからず、部品管理も容易となる。
【００３６】
また、表示基板２の表示面２０上には、各桁の数字毎に、位置決め辺３６を備えた４枚の板材３０が、各位置決め辺３６が６個のピース１ａ〜１ｆの外縁にそれぞれ当接するように配置されるので、この位置決め辺３６によって前記「８」の字４の輪郭は整然とした状態に保たれる。これにより、各ピース１ａ〜１ｇは、所定の決められた位置に安定した状態で保持されるので、例えば、数字の表示変更をする際に、いずれかのピースを表示基板の表示面から取り外したりしても、その他のピースが位置ずれしたりするのを防止できる。
【００３７】
さらに、各板材３０は、各ピース１ａ〜１ｇより大きな厚みを有しているので、各ピース１ａ〜１ｇが各板材３０を乗り越えることはなく、各ピース１ａ〜１ｇを所定の決められた位置に一層安定した状態で保持できる。その上、ガイド板３は４枚の板材３０により構成されているので、各ピース１ａ〜１ｇの大きさを変更して、表示される数字の大きさが異なる複数種の数字表示具を用意する場合、各板材３０を兼用することが可能であり、数字表示具の種類毎にガイド板３を用意する必要はない。
【００３８】
図５の実施例のガイド板３においても、ガイド板３は４枚の板材３７により構成されているので、各ピース１ａ〜１ｇの大きさを変更して、表示される数字の大きさが異なる複数種の数字表示具を用意する場合、各板材３７を兼用することが可能であり、数字表示具の種類毎にガイド板３を用意する必要はない。
【００３９】
図６の実施例のガイド板３によると、板材３９の一周する位置決め辺４１によって、前記「８」の字４の輪郭は、前記孔４０内で完璧に保持されて崩れることがないので、各ピース１ａ〜１ｇは、所定の決められた位置に動かない状態で保持され、位置ずれすることがない。そのため、表示される数字の形崩れが全く起こらず、数字をより一層明確に表示することができる。
【図面の簡単な説明】
【００４０】
【図１】この考案の一実施例である数字表示具の外観を示す斜視図である。
【図２】数字表示具の正面図である。
【図３】ピースの構造を示す断面図である。
【図４】この考案の他の実施例である数字表示具の正面図である。
【図５】他の実施例のガイド板が用いられた数字表示具の正面図である。
【図６】他の実施例のガイド板が用いられた数字表示具の正面図である。
【図７】従来例の数字表示具の正面図である。
【符号の説明】
【００４１】
１ａ〜１ｇ  ピース
２    表示基板
３    ガイド板
４    「８」の字
１０  中間部
１１  両端部
１４  着磁面
２０  表示面
２０Ａ  表示領域
３０  板材
３１  水平片
３２  垂直片
３６  位置決め辺
３９  板材
４０  孔
４１  位置決め辺
４２  着磁面
【図１】
0003138679.tif 000003
【図２】
0003138679.tif 000004
【図３】
0003138679.tif 000005
【図４】
0003138679.tif 000006
【図５】
0003138679.tif 000007
【図６】
0003138679.tif 000008
【図７】
0003138679.tif 000009